(57)【要約】少なくとも１種の表面活性剤が設けられたタンポンまたは類似の用品または製品が提供される。本発明の広い特徴は、体液を吸収するために好適な構造を規定する繊維材料から構成され、その構造内または上に、それらの体液に付随する悪臭を吸着するために有効量の少なくとも１種の表面活性剤が設けられている、体液を吸収するための繊維質吸収製品を提供する。【特許請求の範囲】
【請求項１】
体液を吸収するための繊維質吸収製品であって、該繊維質吸収製品は、少なくとも１種の表面活性剤を有する該製品。
【請求項２】
前記少なくとも１種の表面活性剤が、１種またはそれ以上の界面活性剤、ポリマーおよびそれらのいずれかの組合せからなる群の中から選ばれる請求項１に記載の繊維質吸収製品。
【請求項３】
前記１種またはそれ以上の界面活性剤が、１種またはそれ以上のアニオン性、ノニオン性、カチオン性、両性、シリコン系、ポリマーおよびそれらのいずれかの組合せからなる群の中から選ばれる請求項２に記載の繊維質吸収製品。
【請求項４】
前記少なくとも１種またはそれ以上の界面活性剤が、アルキルアリールエトキシ硫酸ナトリウム、アルキルアルコキシル化ホスフェートエステルナトリウム塩、スルホコハク酸ナトリウムのジオクチルエステル、スルホコハク酸ジオクチル、ポリカルボン酸のアンモニウム塩、複合有機ホスフェートエステルのカリウム塩、ラウリルエーテル硫酸アンモニウム、およびそれらのいずれかの組合せからなる群の中から選ばれる１種またはそれ以上のアニオン性界面活性剤である請求項２に記載の繊維質吸収製品。
【請求項５】
前記少なくとも１種またはそれ以上の界面活性剤が、ポリオキシエチレン、ポリオキシエチレンステアリン酸、ポリオキシエチレン４０水素化ひまし油、アルカノールアミド、イソステアリルアルコール、ポリオキシエチレン／ポリオキシプロピレンブロック共重合体、グリセロールモノ／ジオレエート、グリセロールモノ／ジステアレート、エトキシル化直鎖アルコール、ＰＥＧ−２ステアレート、ポリオキシアルキル化イソステアリルアルコール、ポリオキシエチレンソルビタンモノステアレート、トリグリセロールモノオレエート、ポリソルベート８０、グリセリルモノステアレート、ジグリセリルジイソステアレート、ポリオキシエチレン２０、ポリオキシエチレン２０ソルビタンモノオレエート、シリコーングリコール共重合体、ポリグリセリルエステル、グリコールジステアレート、エトキシル化アルコール、グリコールエステル、およびそれらのいずれかの組合せからなる群の中から選ばれる１種またはそれ以上のノニオン性界面活性剤である請求項２に記載の繊維質吸収製品。
【請求項６】
前記少なくとも１種またはそれ以上の界面活性剤が、トリメチルココ第４級アンモニウムクロライド、ジステアリルジモニウムクロライド、ベンザルコニウムクロライド、ベンゼソニウムクロライド、およびそれらのいずれかの組合せからなる群の中から選ばれる１種またはそれ以上のカチオン性界面活性剤である請求項２に記載の繊維質吸収製品。
【請求項７】
前記少なくとも１種またはそれ以上の界面活性剤が、ココナツ系イミダゾリン、ココナツ系ジカルボキシレート、ココナツ系ナトリウム塩、ココアミドベタイン、ベタイン誘導体、オレイルベタイン、ジプロピオン酸オクチル、コカアンホグリシネート、およびそれらのいずれかの組合せからなる群の中から選ばれる１種またはそれ以上の両性界面活性剤である請求項２に記載の繊維質吸収製品。
【請求項８】
前記少なくとも１種またはそれ以上の界面活性剤が、セチルジメチコーンコポリオール、ジアルコキシジメチルシロキサン、ポリシロキサンポリアルキル共重合体、およびそれらのいずれかの組合せからなる群の中から選ばれる１種またはそれ以上のシリコーン系界面活性剤である請求項２に記載の繊維質吸収製品。
【請求項９】
前記少なくとも１種またはそれ以上のポリマーが、アクリレート／Ｃ１０〜３０アルキルアクリレートクロスポリマーである請求項２に記載の繊維質吸収製品。
【請求項１０】
前記少なくとも１種の表面活性剤が、前記繊維質吸収製品中に、約０．００１ｗｔ．％〜約３０ｗｔ．％の量で存在する請求項１に記載の繊維質吸収製品。
【請求項１１】
体液中の悪臭を打ち消すための方法であって、
繊維質吸収製品を提供する工程、および
少なくとも１種の表面活性剤を前記繊維質吸収製品上または中に設ける工程
を包含し、
前記少なくとも１種の表面活性剤は、前記繊維質吸収製品の表面または界面に吸着し、前記繊維質吸収製品の界面または表面における界面自由エネルギーを改変させ、前記悪臭は、前記少なくとも１種の表面活性剤により前記繊維質吸収製品の表面上に化学的に結合される１種またはそれ以上の悪臭分子を有する該方法。
【請求項１２】
前記少なくとも１種の表面活性剤が、１種またはそれ以上の界面活性剤、ポリマーおよびそれらのいずれかの組合せからなる群の中から選ばれる請求項１１に記載の方法。
【請求項１３】
前記１種またはそれ以上の界面活性剤が、１種またはそれ以上のアニオン性、ノニオン性、カチオン性、両性、シリコン系、ポリマーおよびそれらのいずれかの組合せからなる群の中から選ばれる請求項１２に記載の方法。
【請求項１４】
前記少なくとも１種またはそれ以上の界面活性剤が、アルキルアリールエトキシ硫酸ナトリウム、アルキルアルコキシル化ホスフェートエステルナトリウム塩、スルホコハク酸ナトリウムのジオクチルエステル、スルホコハク酸ジオクチル、ポリカルボン酸のアンモニウム塩、複合有機ホスフェートエステルのカリウム塩、ラウリルエーテル硫酸アンモニウム、およびそれらのいずれかの組合せからなる群の中から選ばれる１種またはそれ以上のアニオン性界面活性剤である請求項１２に記載の方法。
【請求項１５】
前記少なくとも１種またはそれ以上の界面活性剤が、ポリオキシエチレン、ポリオキシエチレンステアリン酸、ポリオキシエチレン４０水素化ひまし油、アルカノールアミド、イソステアリルアルコール、ポリオキシエチレン／ポリオキシプロピレンブロック共重合体、グリセロールモノ／ジオレエート、グリセロールモノ／ジステアレート、エトキシル化直鎖アルコール、ＰＥＧ−２ステアレート、ポリオキシアルキル化イソステアリルアルコール、ポリオキシエチレンソルビタンモノステアレート、トリグリセロールモノオレエート、ポリソルベート８０、グリセリルモノステアレート、ジグリセリルジイソステアレート、ポリオキシエチレン２０、ポリオキシエチレン２０ソルビタンモノオレエート、シリコーングリコール共重合体、ポリグリセリルエステル、グリコールジステアレート、エトキシル化アルコール、グリコールエステル、およびそれらのいずれかの組合せからなる群の中から選ばれる１種またはそれ以上のノニオン性界面活性剤である請求項１２に記載の方法。
【請求項１６】
前記少なくとも１種またはそれ以上の界面活性剤が、トリメチルココ第４級アンモニウムクロライド、ジステアリルジモニウムクロライド、ベンザルコニウムクロライド、ベンゼソニウムクロライド、およびそれらのいずれかの組合せからなる群の中から選ばれる１種またはそれ以上のカチオン性界面活性剤である請求項１２に記載の方法。
【請求項１７】
前記少なくとも１種またはそれ以上の界面活性剤が、ココナツ系イミダゾリン、ココナツ系ジカルボキシレート、ココナツ系ナトリウム塩、ココアミドベタイン、ベタイン誘導体、オレイルベタイン、ジプロピオン酸オクチル、コカアンホグリシネート、およびそれらのいずれかの組合せからなる群の中から選ばれる１種またはそれ以上の両性界面活性剤である請求項１２に記載の方法。
【請求項１８】
前記少なくとも１種またはそれ以上の界面活性剤が、セチルジメチコーンコポリオール、ジアルコキシジメチルシロキサン、ポリシロキサンポリアルキル共重合体、およびそれらのいずれかの組合せからなる群の中から選ばれる１種またはそれ以上のシリコーン系界面活性剤である請求項１２に記載の方法。
【請求項１９】
前記少なくとも１種またはそれ以上のポリマーが、アクリレート／Ｃ１０〜３０アルキルアクリレートクロスポリマーである請求項１２に記載の方法。
【請求項２０】
前記少なくとも１種の表面活性剤が、前記繊維質吸収製品中に、約０．００１ｗｔ．％〜約３０ｗｔ．％の量で存在する請求項１に記載の方法。
【発明の詳細な説明】
【技術分野】
【０００１】
本発明は、臭気吸着特性を有する表面活性剤を有する繊維質吸収製品に関する。より具体的には、本発明は、表面または界面に吸着して繊維質吸収製品の界面の表面もしくは界面自由エネルギーを改変する能力を有する少なくとも１種の表面活性剤を有する繊維質吸収製品に関するものであり、ここで、界面自由エネルギーは、表面または界面中の分子の引き抜き（pull）に対抗するのに必要な力と定義される。
【背景技術】
【０００２】
従来、月経臭を打ち消すための方策として種々の提案がなされてきている。そのような提案には、吸収製品から発散する臭気をマスクするために香料を使用することが含まれる。他の提案には、月経流体等の存在下で発生し得る臭気化合物を抑制または除去する物質を使用することが含まれる。これらの臭気化合物は、化学反応によって非臭気化合物を生成させること等いくつかの機構により、または固体もしくは液体中への臭気化合物の吸収により抑制することができる。吸収剤が、脱臭に、特に非常に低い嗅覚閾値を有するものとして特徴付けられる体液からの臭気に対し、有効であるためには、吸収剤が、その環境において、本質的に全ての臭気化合物を、その濃度に拘わらず、除去できることが必須である。
本発明に関し、十分は背景を提供するために、特許文献１〜５を挙げることができる。
特許文献１は、膣内への挿入のためのタンポンと、脱臭剤を保持するための器具を備える外陰脱臭システムに関する。その器具は、香料、粉末等の形態にある脱臭剤を含む。
特許文献２は、臭気を除去するための方法およびそれに使用するための組成物に関する。その方法は、臭気生成種を合成結晶性ケイ素質モレキュラーシーブ材料と接触させることにより臭気を嗅覚検出未満に減少させることを含む。
特許文献３は、少なくとも約５．５オングストロームの気孔径と、吸着水に対して比較的低いキャパシティーを有する結晶性ケイ素質モレキュラーシーブを内部に設けることにより増大した脱臭特性を有する繊維質吸収製品を提供する。加えて、この特許文献は、脱臭性シーブ中に約２０マイクロメーター未満のサイズを有するゼオライト粒子を含めることを規定する。この粒子は、吸収製品の液体透過性カバーの外側表面と製品内に設けられたバッフルとの間に配置されている。
特許文献４は、使用者の身体に面する第１の表面と、この第１の表面にほぼ対向して配置された第２の表面を有する吸収製品を提供する。さらに、液体不透過性バッフルと、それぞれの表面に隣接して配置された流体透過性カバーが設けられている。加えて、実質的な時間にわたって乾燥状態にあるようにするために、吸収製品には、脱臭性混合物が配置されている。この混合物は、少なくとも塩基性およびｐＨ中性の臭気吸着性粒子の無水非バッファーブレンドである。
特許文献５は、臭気を防除するために、月経用品、おしめなどに使用される「中間」ＳｉＯ2／Ａｌ2Ｏ3比を有するゼオライトを提供する。そのような中間比は、典型的に、約２から約１０までの範囲内にあると記載されている。
【特許文献１】
米国特許第３，９４８，２５７号明細書
【特許文献２】
米国特許第４，７９５，４８２号明細書
【特許文献３】
米国特許第４，８２６，４９７号明細書
【特許文献４】
米国特許第５，３６４，３８０号明細書
【特許文献５】
登録ＨＩ５７９
【発明の開示】
【発明が解決しようとする課題】
【０００３】
適切に適用されたとき、上記特許文献に記載されたいくつかの発明には特有の利益、利点があることがある。しかしながら、本発明は、先行技術には見いだされていない重要な利点を提供する。見いだされ、知覚したことは、本発明の少なくとも１種の表面活性剤を有する繊維質吸収製品が、その繊維質吸収製品上または中の、および膣内体液中の臭気有機分子を吸着する能力を有するということである。その結果、悪臭は防除および／または除去される。
本発明の目的は、信頼性をもってかつ安価に製造することができ、月経流体に付随する悪臭を効率的に吸着するタンポンのような繊維質吸収性月経用品または製品を提供することである。
本発明の他の目的は、臭気吸着特性を有する少なくとも１種の表面活性剤を有するそのようなタンポンを提供することである。
本発明のさらに他の目的は、上記少なくとも１種の表面活性剤が表面または界面に吸着して界面の表面もしくは界面自由エネルギーを改変させ、臭気吸着をもたらすところのそのようなタンポンを提供することである。
本発明のさらなる目的は、上記少なくとも１種の表面活性剤をタンポンに含める方法を提供することである。
【課題を解決するための手段】
【０００４】
本発明の上記の、および他の目的、および利点は、少なくとも１種の表面活性剤が配置されたタンポンもしくは類似の用具もしくは製品によって達成される。簡単に述べると、本発明の広い特徴は、体液を吸収するために好適な構造を規定する繊維材料から構成され、その構造内または上に、上記体液に付随する悪臭を吸着するために有効量の少なくとも１種の表面活性剤が設けられている、体液を吸収するための繊維質吸収製品である。
本発明の他の、およびさらなる目的、利点および特徴は、以下の記述を参照することによって理解されるであろう。
【発明を実施するための最良の形態】
【０００５】
本発明は、タンポンまたは女性用パッドのような繊維質吸収製品であって、当該繊維質吸収製品上または中に配置された少なくとも１種の表面活性剤を有するものに関する。この少なくとも１種の表面活性剤は、表面または界面に吸着して界面の表面もしくは界面自由エネルギーを改変させる性質を有する。ここで用いられている「界面」とは、液−液相境界、液−固相境界、液−気相境界、気−固相境界を含むがこれらに限定されない相間の境界をいう。膣悪臭組成物がタンポンのような繊維質吸収製品と接触するとき、悪臭と繊維表面との間の相境界領域は、当該システムの体積の割に大きい。従って、当該システムの合計質量（total mass）は境界に存在する。
繊維システムの挙動は、大きな程度に、界面プロセスにより決定される。上記少なくとも１種の表面活性剤は、このプロセスにおいて重要な役割を果たし得る。表面活性剤は、溶媒相をほとんど吸引しない構造基（疎油性）と溶媒相を強く吸引する基（親油性）を有する分子構造を有する。表面活性剤がタンポンの繊維の表面に加えられるとき、疎油性基の存在は、溶媒液体構造の歪を引き起こし、かくして系の自由エネルギーを増加させる。表面活性剤の水溶液の存在下で、疎油性基による悪臭（水）相のこの歪、およびその結果の系の自由エネルギーの増加は、水分子よりもむしろ表面活性剤を表面に運ぶために必要なエネルギーがより少ないという結果を生じる。従って、上記少なくとも１種の表面活性剤は、繊維質吸収製品の表面上に集中する。
親油性基の存在は、表面活性剤が溶媒相から排出されることを防止する。その結果、表面活性剤は表面で集中し、それ自体、親水性基が水系相（悪臭相）にあり、疎水性基が水系相から離れて配置されるように、配向する。それ故、悪臭成分は、繊維−液体界面での表面上に表面活性剤により化学的に結合（イオンおよび／または共有）される。
【０００６】
本発明に好適な上記少なくとも１種の表面活性剤の化学構造は、繊維化学の性質、悪臭相および使用条件とともに変わり得る。膣悪臭のような極性溶媒相の存在下で、イオン性または高極性基は、親油性基として作用し得る。膣悪臭におけるような電解質もしくは有機添加物の存在下で、表面活性を好適なレベルに維持するために、いくつかの表面活性剤が必要とされ得る。表面活性（悪臭の吸着）が有効であるために、上記少なくとも１種の表面活性剤分子は、使用条件下で悪臭相において両親媒性である化学構造を持たなくてはならない。
本発明に用いて好適な表面活性剤は、１種またはそれ以上の界面活性剤、ポリマーまたはそれらいずれかの組合せを含むが、それらに限定されるものではない。
好適な界面活性剤は、１種またはそれ以上のアニオン性、ノニオン性、カチオン性、両性、シリコーン系、ポリマーまたはそれらのいずれかの組合せを含むが、それらに限定されるものではない。
本発明に使用され得る好適なアニオン性界面活性剤は、アルキルアリールエトキシ硫酸ナトリウム、アルキルアルコキシル化ホスフェートエステルナトリウム塩、スルホコハク酸ナトリウムのジオクチルエステル、スルホコハク酸ジオクチル、ポリカルボン酸のアンモニウム塩、複合（complex）有機ホスフェートエステルのカリウム塩、ラウリルエーテル硫酸アンモニウム、またはそれらのいずれかの組合せを含むが、それらに限定されるものではない。
本発明に使用され得る好適なノニオン性界面活性剤は、ポリオキシエチレン、ポリオキシエチレンステアリン酸、ポリオキシエチレン４０水素化ひまし油、アルカノールアミド、イソステアリルアルコール、ポリオキシエチレン／ポリオキシプロピレンブロック共重合体、グリセロールモノ／ジオレエート、グリセロールモノ／ジステアレート、エトキシル化直鎖アルコール（５０％エトキシル化）、ＰＥＧ−２ステアレート、ポリオキシアルキル化イソステアリルアルコール、ポリオキシエチレンソルビタンモノステアレート、トリグリセロールモノオレエート、ポリソルベート８０、グリセリルモノステアレート、ジグリセリルジイソステアレート、ポリオキシエチレン２０、ポリオキシエチレン２０ソルビタンモノオレエート、シリコーングリコール共重合体、ポリグリセリルエステル、グリコールジステアレート、エトキシル化アルコール（セテアレス（Ceteareth）−２０）、グリコールエステル（ＰＥＧ４００ジトーレート（ditallate））、またはそれらのいずれかの組合せを含むが、それらに限定されるものではない。
本発明に使用され得る好適なカチオン性界面活性剤は、トリメチルココ第４級アンモニウムクロライド、ジステアリルジモニウムクロライド、ベンザルコニウムクロライド、ベンゼソニウム（benzethonium）クロライド、またはそれらのいずれかの組合せを含むが、それらに限定されるものではない。
本発明に使用され得る好適な両性界面活性剤は、ココナツ系（イミダゾリン、ジカルボキシレート、ナトリウム塩）、ココアミドベタイン、ベタイン誘導体（オレイルベタイン）、ジプロピオン酸オクチル、コカアンホグリシネート（cocamphoglycinate）、またはそれらのいずれかの組合せを含むが、それらに限定されるものではない。
本発明に使用され得る好適なシリコーン系界面活性剤は、セチルジメチコーンコポリオール、ジアルコキシジメチルシロキサン、ポリシロキサンポリアルキル共重合体、またはそれらのいずれかの組合せを含むが、それらに限定されるものではない。
本発明に使用され得る好適なポリマーは、アクリレート／Ｃ１０〜３０アルキルアクリレートクロスポリマー（crosspolymer）を含むが、それらに限定されるものではない。
本発明の臭気吸着特性を達成するために、上記少なくとも１種の表面活性剤は、繊維質吸収製品の総重量に基づいて、約０．００１重量パーセント（ｗｔ．％）〜約３０ｗｔ．％、好ましくは約０．０１ｗｔ．％〜約５ｗｔ．％の量で存在する。
【実施例】
【０００７】
以下の例は、悪臭を減少および／または除去するためにタンポン上に表面活性剤を使用することの有効性を立証するものである。
本発明による表面活性剤を有するものを含み、悪臭吸着／中和処理のレベル／タイプを変えて、悪臭で処理された非デオドラント（non-deodorant）タンポンの香属性および強度を同定し、評価するために研究を行った。
詳細なプロトコールに従って、無香タンポンを用いて試料を調製した。各試料は、無香タンポン上に適用された１５％の悪臭を含むものであった。調製した試料を表１に示す。表１中の試料は、３つの別々の状況について調製、試験した。
【表１】
2004533873.tif 000002
【０００８】
試料の評価は、利用可能な排気ファンを有する十分に換気された室内で行った。訓練を積んで経験豊富であり、香の分析において較正された５人の客観的感覚専門家が、試料をその受け取った日に評価した。各パネリストは、対照および非デオドラント製品を有する完全な一組の試料を受け取った。全てのパネリストは、試料を同時に評価し、特性および強度の合意（consensus）結果を記録した。パネリストは、評価間で少なくとも３０分待機し、悪臭または香になれることを防ぐために、試料間および試料内で、中性基材（パーパーナプキンまたは後腕（back of arm））を嗅ぐようにされた。各セッションでは、強度結果のチェックとして１つの試料をランダムに反復した。反復された試料は、一般に、一回の試料処理から瓶（jar）内で変動する結果が検出されたものであった。
感覚特性の強度は、０＝なし、１５＝非常に強いとして１５点強度スケールで評価した。データは、合意データとして記録される。パネリストはわずかな差異を検知でき、使用した１５点スケールでの０．２単位ものわずかな差異も、しばしば、検出し得る。パネリストは、共通して、０．５単位の差異を検出する。
表２は、３回の反復に対する平均結果を与えている。表２を検討するとき、１の試料内で瓶間で強度の範囲を有する属性について、平均値を計算するために最高値を用いたことに注意されたい。
【表２】
2004533873.tif 000003
【０００９】
表２から明らかなように、本発明による表面活性剤を有する試料Ｄが、試験した試料の中で最も低い総悪臭強度を示した。
上記少なくとも１種の表面活性剤は、次の方法、すなわち繊維加工中での適用、加工後の繊維表面処理、製品の内部付着、製品の外部付着、カバーストック（coverstock）材料中へ含めること、取り外しストリングもしくは他の取り外し器具中に含めること、アプリケータの一部として含めること、封入し、これらの方法により適用すること、またはそれらの組合せを含むが、これらに限定されない方法のいずれかにより繊維質吸収製品に含めることができる。
以上本発明をその好ましい形態を特に参照して説明したが、本発明には、添付の特許請求の範囲に規定した本発明の精神および範囲から逸脱することなく、様々な変更、修飾を行うことができることは明らかである。
【国際公開パンフレット】
2004533873.tif 000004
2004533873.tif 000005
2004533873.tif 000006
2004533873.tif 000007
2004533873.tif 000008
2004533873.tif 000009
2004533873.tif 000010
2004533873.tif 000011
2004533873.tif 000012
2004533873.tif 000013
2004533873.tif 000014
2004533873.tif 000015
2004533873.tif 000016
2004533873.tif 000017
2004533873.tif 000018
2004533873.tif 000019
【国際公開パンフレット（コレクトバージョン）】
2004533873.tif 000020
【国際公開パンフレット（コレクトバージョン）】
2004533873.tif 000021
【国際調査報告】
2004533873.tif 000022
2004533873.tif 000023